(57)【要約】【課題】光源部からの直接光を低く抑えながらも、壁や床に投影される配光の形状を美しくすることができる照明器具を提供する。【解決手段】反射鏡４をコーン５より奥側に配設すると共に、反射鏡４の開口縁を光源部３の略中心と筐体部の開口縁（コーン５又は本体６の開口縁と同じ）を結ぶ線分よりも光源部３から離れる方向に延出させて光源部３からの直接光の一部が筐体部で遮られることがないようにした。これにより、光源部３からの直接光を低く抑えながらも（即ち眩しさを低く抑えながらも）、壁や床に投影される配光の形状を美しくすることが可能となる。【選択図】図３
2010027498.tif 000002
【特許請求の範囲】
【請求項１】
それぞれが発光ダイオード素子を有する複数の光源部と、
前記複数の光源部のそれぞれに設けられる反射鏡と、
前記複数の光源部及び反射鏡を収容する筐体部と、
を備えた照明器具であって、
前記反射鏡及び筐体部は、それぞれ開口縁を有し、
前記筐体部の周縁部の近傍に位置する前記反射鏡は、その開口縁が前記光源部の略中心と前記筐体部の前記開口縁を結ぶ線分よりも前記光源部から離れる方向に延出してなる照明器具。
【請求項２】
前記複数の反射鏡が前記筐体部の開口縁より内側に配設された請求項１に記載の照明器具。
【請求項３】
隣接する前記反射鏡間の部分が前記反射鏡の開口縁方向に対して傾斜を有する請求項１又は請求項２に記載の照明器具。
【発明の詳細な説明】
【技術分野】
【０００１】
本発明は、複数の光源部と、各光源部ごとに設けられた反射鏡と、複数の光源部及び反射鏡を収容する筐体部とを備えた照明器具に関する。
【背景技術】
【０００２】
天井面に形成された取付け孔に挿入して取付けられる埋込型の照明器具が広く用いられている（例えば、特許文献１参照）。特に近年では光源部に発光ダイオード素子を用いた製品が多く見られるようになってきている。図８はこの種の照明器具５０を示す斜視図であり、図９は図８のＣ−Ｃ線断面図である。図８及び図９に示すように、照明器具５０は、基板５１に実装された複数の光源部５２と、各光源部５２ごとに、その光源部５２からの光を反射する反射鏡５３と、光源部５２及び反射鏡５３の周囲を覆うコーン５４とを有している。光源部５２は発光ダイオード素子を有している。反射鏡５３は、その面が放物線状に湾曲している。コーン５４は、その開口部がテーパ状に広がった円筒形状を成している。なお、コーン５４と本体５５は筐体部を構成し、コーン５４と本体５５の開口縁の位置は一致している。
【０００３】
【特許文献１】特開２００７−２６５９６１号公報
【発明の開示】
【発明が解決しようとする課題】
【０００４】
しかしながら、上述した従来の照明器具においては、壁や床に投影される光即ち配光の形が美しくないという問題がある。即ち、図９に示すように反射鏡５３を出る光のうち、特に強い光である光源部５２からの直接光の一部（矢印Ｙａで示す光）がコーン５４にて遮られて図１０に示すように一部が矩形となった形状の配光６０となってしまう。この問題は、反射鏡５３から出てくる光源部５２からの直接光の一部がコーン５４で遮られることがないように、例えば反射鏡５３をその開口部がコーン５４の開口部の近傍に位置するように配置することで解決可能である。しかしこのようにすると、光源部５２が目立つようになりデザイン上好ましくなく、また光源部５２からの直接光が多くなって眩しさが目立つようになる。なお、配光を美しくすることは照明器具にとって重要な点の１つである。
【０００５】
本発明は、係る事情に鑑みてなされたものであり、光源部からの直接光を低く抑えながらも、壁や床に投影される配光の形状を美しくすることができる照明器具を提供することを目的とする。
【課題を解決するための手段】
【０００６】
本発明の照明器具は、それぞれが発光ダイオード素子を有する複数の光源部と、前記複数の光源部のそれぞれに設けられる反射鏡と、前記複数の光源部及び反射鏡を収容する筐体部と、を備えた照明器具であって、前記反射鏡及び筐体部は、それぞれ開口縁を有し、前記筐体部の周縁部の近傍に位置する前記反射鏡は、その開口縁が前記光源部の略中心と前記筐体部の前記開口縁を結ぶ線分よりも前記光源部から離れる方向に延出してなる。
【０００７】
上記構成によれば、光源部からの直接光の一部が筐体部で遮られることがないので、壁や床に投影される配光の形状を美しくすることが可能となる。
【０００８】
また、上記構成において、前記複数の反射鏡が前記筐体部の開口縁より内側に配設された。
【０００９】
上記構成によれば、光源部からの直接光を低く抑えることができる（即ち眩しさを低く抑えることができる）。
【００１０】
また、上記構成において、隣接する前記反射鏡間の部分が前記反射鏡の開口縁方向に対して傾斜を有する。
【００１１】
上記構成によれば、隣接する反射鏡間の部分にも反射鏡からの光を当てることが可能となり、該部分における輝度を上げることができる。
【発明の効果】
【００１２】
本発明は、光源部からの直接光を低く抑えながらも、壁や床に投影される配光の形状を美しくすることが可能な照明器具を提供できる。
【発明を実施するための最良の形態】
【００１３】
以下、本発明を実施するための好適な実施の形態について、図面を参照して詳細に説明する。
【００１４】
（実施の形態１）
図１は、本発明の実施の形態１に係る照明器具を示す一部断面を含む構造図、図２は本実施の形態の照明器具を示す斜視図、図３は図２のＡ−Ａ線断面図である。図１〜図３において、本実施の形態の照明器具１は、基板２に実装された複数の光源部３と、各光源部３ごとに、その光源部３からの光を反射する反射鏡４と、光源部３及び反射鏡４の周囲を覆うコーン５と、本体６内で基板２の後方に配設される電源基板７と、本体６の後端に設けられて電源基板７に電源を供給するための端子台８と、本体６を天井面２０に形成された取付け孔２０ａに挿入して取付けるための取付けバネ９とを有している。なお、コーン５と本体６は筐体部を構成する。また、コーン５と本体６の開口縁の位置は一致している。
【００１５】
光源部３は発光ダイオード素子を有している。コーン５はその開口部がテーパ状に広がった円筒形状を成している。反射鏡４は、その面が放物線状に湾曲している。複数の反射鏡４のうち、筐体部の周縁部の近傍に位置する反射鏡４は、その開口縁が光源部３の略中心と筐体部の開口縁（コーン５又は本体６の開口縁と同じ）を結ぶ線分よりも光源部３から離れる方向に延出した形状となっている。反射鏡４の開口縁を延出させる形状とすることで、反射鏡４を出る光のうち、特に強い光である光源部３からの直接光の一部（矢印Ｙｂで示す光）が筐体部で遮られるのを回避できる。
【００１６】
図５の（ａ）に示すように、反射鏡４の開口縁からコーン５の開口縁までの距離ａ（即ち、コーン５の深さ）は反射鏡４の深さｘに比例するが、反射鏡４の深さｘを長くすると、反射鏡４内での反射が多くなって反射鏡４から出る光の量が減少する。そこで、図５の（ｂ）に示すように、反射鏡４のコーン５で遮られる部分のみ反射鏡４の深さｘを長くとることで（ｘ１＜ｘ２）、反射鏡４から出る光の量の減少を最小限に抑えることが可能となる。この場合、反射鏡４の筐体部で遮られる部分のみ反射鏡４の深さｘを調整することで、反射鏡４の開口縁からコーン５の開口縁までの距離ａを長くとることが可能である（ａ１＜ａ２）。なお、反射鏡４の開口縁を延出させることによる副次的な効果として、図５の（ｂ）の矢印Ｙｃで示す方向へ光を出射することができ、広い配光とすることが可能となる。
【００１７】
このように、反射鏡４の筐体部で遮られる部分のみ反射鏡４の深さを長くとることにより、図１０に示したような一部が矩形となった形状の配光６０になることがなく、図４に示すような円形に近い角を持たない滑らかな形状の配光６１となる。しかも、反射鏡４をコーン５より奥側に配設するので、デザイン上の悪化が無く、また光源部３からの直接光が少なくなることから眩しさが抑えられる。即ち、光源部３からの直接光を低く抑えながらも、壁や床に投影される配光の形状を美しくすることが可能となる。
【００１８】
以上のように本実施の形態の照明器具１によれば、反射鏡４をコーン５より奥側に配設すると共に、反射鏡４の開口縁を光源部３の略中心と筐体部の開口縁（コーン５又は本体６の開口縁と同じ）を結ぶ線分よりも光源部３から離れる方向に延出させて光源部３からの直接光の一部が筐体部で遮られることがないようにしたので、光源部３からの直接光を低く抑えながらも（即ち眩しさを低く抑えながらも）、壁や床に投影される配光の形状を美しくすることが可能となる。
【００１９】
（実施の形態２）
図６は、本発明の実施の形態２に係る照明器具を示す斜視図、図７は図６のＢ−Ｂ線断面図である。図６及び図７において、上述した図１〜図３と共通する部分には同一の符号を付けてその説明を省略する。本実施の形態の照明器具１０は、隣接する反射鏡間の部分に傾斜を付けたものである。この場合、傾斜を付けた部分４ａの角度は、反射鏡４Ａの開口方向に対して垂直以外であればどのような角度であってもよい。前述した実施の形態１における反射鏡４は、隣接する反射鏡間の部分が平坦になっているため、殆ど光が当たらずその部分の輝度が得られないが、本実施の形態における反射鏡４Ａは、隣接する反射鏡間の部分４ａに傾斜が付けられているので、該部分４ａにも反射鏡４Ａからの光を当てることが可能となり、該部分４ａにおける輝度を上げることができる。
【産業上の利用可能性】
【００２０】
本発明は、光源部からの直接光を低く抑えながらも、壁や床に投影される配光の形状を美しくすることができるといった効果を有し、天井面に形成された取付け孔に挿入して取付けられる埋込型の照明器具などへの適用が可能である。
【図面の簡単な説明】
【００２１】
【図１】本発明の実施の形態１に係る照明器具を示す一部断面を含む構造図
【図２】図１の照明器具を示す斜視図
【図３】図２のＡ−Ａ線断面図
【図４】図１の照明器具による配光を示す図
【図５】図１の照明器具の特徴を説明するための図
【図６】本発明の実施の形態２に係る照明器具を示す斜視図
【図７】図６のＢ−Ｂ線断面図
【図８】従来の照明器具を示す斜視図
【図９】図８のＣ−Ｃ線断面図
【図１０】図８の照明器具による配光を示す図
【符号の説明】
【００２２】
１、１０  照明器具
２  基板
３  光源部
４、４Ａ  反射鏡
４ａ  隣接する反射鏡間の部分
５  コーン
６  本体
７  電源基板
８  端子台
９  取付けバネ
２０  天井面
２０ａ  取付け孔
６１  配光
【図１】
2010027498.tif 000003
【図２】
2010027498.tif 000004
【図３】
2010027498.tif 000005
【図４】
2010027498.tif 000006
【図５】
2010027498.tif 000007
【図６】
2010027498.tif 000008
【図７】
2010027498.tif 000009
【図８】
2010027498.tif 000010
【図９】
2010027498.tif 000011
【図１０】
2010027498.tif 000012